(57)【要約】【課題】意匠性を向上した管継手を提供する。【解決手段】管継手１０は、雌管部２０と、雌管部２０内に挿入される雄管部２１と、雄管部２１を覆うように雄管部２１に設けられる袋ナット２７と、雌管部２０の外周面に形成された雄ねじ２４と、袋ナット２７の内周面に形成された雌ねじ２８とを備える。雄ねじ２４と雌ねじ２８の螺合により、袋ナット２７が雌管部２０に固定される。袋ナット２７が雌管部２０に固定されたときに、袋ナット２７に対して雄管部２１が回転可能に構成される。【選択図】図２
2019210963.tif 000002
【特許請求の範囲】
【請求項１】
雌管部と、
前記雌管部内に挿入される雄管部と、
前記雄管部を覆うように前記雄管部に設けられる袋ナットと、
前記雌管部の外周面に形成された雄ねじと、
前記袋ナットの内周面に形成された雌ねじと、
を備え、
前記雄ねじと前記雌ねじの螺合により、前記袋ナットが前記雌管部に固定され、
前記袋ナットが前記雌管部に固定されたときに、前記袋ナットに対して前記雄管部が回転可能に構成されることを特徴とする管継手。
【請求項２】
前記雄管部は、外周面に雄嵌合面を有し、
前記雌管部は、内周面に前記雄嵌合面と嵌合する雌嵌合面を有し、
前記雄嵌合面と前記雌嵌合面との間で径方向に潰れるシール部材をさらに備えることを特徴とする請求項１に記載の管継手。
【請求項３】
前記シール部材は、前記雄ねじと前記雌ねじとの螺合が緩んで前記雌管部に対して前記雄管部が軸方向に移動した状態でも、前記雄嵌合面と前記雌嵌合面との間で径方向に潰れた状態となることを特徴とする請求項２に記載の管継手。
【請求項４】
前記袋ナットは、前記雄管部に対して軸方向に移動可能であり、
前記雄管部に対する前記袋ナットの軸方向の移動可能距離を規制する規制部をさらに備えることを特徴とする請求項１から３のいずれかに記載の管継手。
【請求項５】
前記規制部は、前記雄管部と前記袋ナットとが正常に組み付けられている場合には、前記袋ナットから前記雄管部の先端部が露出可能に構成され、前記雄管部と前記袋ナットとが正常に組み付けられていない場合には、前記袋ナットから前記雄管部の先端部が露出しないよう構成されることを特徴とする請求項４に記載の管継手。
【請求項６】
請求項１から５のいずれかに記載の管継手を備える分岐止水栓であって、
前記雄管部を備えるＵ字管と、
前記雌管部を備える本体部と、
を備え、
前記袋ナットが前記雌管部に固定されたときに、前記本体部に対して前記Ｕ字管が回転可能であることを特徴とする分岐止水栓。
【発明の詳細な説明】
【技術分野】
【０００１】
本発明は、給排水管等の管の接続に適用可能な管継手およびそれを用いた分岐止水栓に関する。
【背景技術】
【０００２】
従来より管継手として、雄管を雌管に挿入した状態で抜止クリップを装着することで、雄管が雌管から抜けるのを防止するようにした管継手が知られている（例えば、特許文献１参照）。
【先行技術文献】
【特許文献】
【０００３】
【特許文献１】特開２００１−２４８７７７号公報
【発明の概要】
【発明が解決しようとする課題】
【０００４】
上記のような管継手は、抜止クリップが外部に露出しているため、意匠性の観点から改善の余地がある。
【０００５】
本発明のある態様は、このような課題に鑑みてなされ、その目的の１つは、意匠性を向上した管継手を提供することにある。
【課題を解決するための手段】
【０００６】
本発明のある態様は、雌管部と、雌管部内に挿入される雄管部と、雄管部を覆うように雄管部に設けられる袋ナットと、雌管部の外周面に形成された雄ねじと、袋ナットの内周面に形成された雌ねじとを備える。雄ねじと雌ねじの螺合により、袋ナットが雌管部に固定される。袋ナットが前記雌管部に固定されたときに、袋ナットに対して雄管部が回転可能に構成される。
【０００７】
本発明の別の態様は、上述の管継手を備える分岐止水栓である。この分岐止水栓は、雄管部を備えるＵ字管と、雌管部を備える本体部とを備える。袋ナットが雌管部に固定されたときに、本体部に対してＵ字管が回転可能である。
【図面の簡単な説明】
【０００８】
【図１】本発明の実施形態に係る管継手を用いた分岐止水栓を示す斜視図である。
【図２】本実施形態に係る管継手を説明するための概略断面図である。
【図３】管継手を外した状態を示す概略断面図である。
【図４】分岐止水栓の本体部に対してＵ字管が回転する様子を示す図である。
【図５】図５（ａ）〜（ｃ）は、雄管部と袋ナットを組み付ける手順を説明するための図である。
【図６】図６（ａ）および（ｂ）は、雄管部と袋ナットを組み付けが正常に行われたか判定する方法を説明するための図である。
【発明を実施するための形態】
【０００９】
以下の実施形態では、同一の構成要素に同一の符号を付し、重複する説明を省略する。各図面では、説明の便宜のため、構成要素の一部を適宜省略したり、構成要素の寸法を適宜拡大、縮小して示す。図面は符号の向きに合わせて見るものとする。
【００１０】
図１は、本発明の実施形態に係る管継手１０を用いた分岐止水栓１００を示す斜視図である。図１は、分岐止水栓１００を水栓装置２００に取り付けた状態を示す。水栓装置２００は、例えば、流し台や洗面キャビネット等に設置され、湯配管２０２から供給される湯と水配管２０４から供給される水を混合して湯水を吐止水する混合水栓装置であってよい。
【００１１】
図１に示す分岐止水栓１００は、Ｕ字管１１を備えたＵ字管付分岐止水栓である。分岐止水栓１００は、湯配管２０２や水配管２０４を流れる湯や水を分岐して、Ｕ字管１１を介して他の水栓器具（例えば食器洗浄機や浄水器）に導く機能を有する。
【００１２】
分岐止水栓１００は、内部にＯＮ−ＯＦＦバルブが設けられた本体部１２と、本体部１２内のＯＮ−ＯＦＦバルブの開閉状態を切り替えるためのハンドル１３と、本体部１２を水栓装置２００に取り付けるための取付部１４と、Ｕ字管１１と、Ｕ字管１１の一端を本体部１２に取り付けるための管継手１０と、Ｕ字管１１の他端に設けられた逆止弁組立体１５とを備える。
【００１３】
図２は、本実施形態に係る管継手１０を説明するための概略断面図である。図２は、管継手１０を接続した状態を示す。図３は、管継手１０を外した状態を示す概略断面図である。
【００１４】
管継手１０は、分岐止水栓１００の本体部１２とＵ字管１１とを接続するための継手である。管継手１０は、本体部１２の側面から突出するように形成された雌管部２０と、Ｕ字管１１の一端に設けられた雄管部２１とを備える。
【００１５】
雌管部２０は、軸方向一端に挿入開口２２を有しており、更に挿入開口２２に続いて雌管部２０の内周面には断面円形の雌嵌合面２３を有している。また雌管部２０の外周面には、雄ねじ２４が形成されている。
【００１６】
雄管部２１は、外周面に雄嵌合面２５を有している。雄管部２１が挿入開口２２を通じて雌管部２０の内部に挿入されたとき、雄管部２１の雄嵌合面２５は雌管部２０の雌嵌合面２３と嵌合する。雄嵌合面２５の軸方向先端寄りの位置には周方向に沿って凹部２５ａが形成されており、凹部２５ａにはシール部材としてのＯリング２６が装着されている。雄管部２１が雌管部２０の内部にされたとき、Ｏリング２６は雄嵌合面２５と雌嵌合面２３との間で径方向に潰れ、雌管部２０と雄管部２１とにより形成される流路の水密性が確保される。
【００１７】
本実施形態に係る管継手１０においては、雄管部２１を覆うように略円筒形状の袋ナット２７が設けられている。言い換えると、袋ナット２７の内部に雄管部２１が挿入されている。袋ナット２７は、雄管部２１と同軸に配置され、雄管部２１に対して軸方向に移動可能である。雄管部２１が挿入開口２２を通じて雌管部２０の内部に挿入されるときには、図２に示すように袋ナット２７の内周面と雄管部２１の雄嵌合面２５との間に雌管部２０が挟み込まれる。袋ナット２７の内周面には、雌管部２０の雄ねじ２４と螺合する雌ねじ２８が形成されている。
【００１８】
雄管部２１の外周面におけるＵ字管１１寄りの位置には、周方向に沿って突出する第１雄管側突出部２９および第２雄管側突出部３０が形成されている。第１雄管側突出部２９および第２雄管側突出部３０は、軸方向に所定の間隔を空けて形成されている。また、袋ナット２７の内周面におけるＵ字管１１寄りの位置には、袋ナット側突出部３２が形成されている。袋ナット側突出部３２と雌ねじ２８との間には、軸方向に所定の間隔が設けられている。第１雄管側突出部２９と第２雄管側突出部３０との間且つ袋ナット側突出部３２と雌ねじ２８との間には、Ｃリング３１が嵌められる。雄管部２１に形成された第１雄管側突出部２９およびと第２雄管側突出部３０、袋ナット２７に形成された袋ナット側突出部３２および雌ねじ２８、並びにＣリング３１は、図３に示すように管継手１０が外れた状態においては、雄管部２１に対する袋ナット２７の軸方向の移動可能距離を規制する規制部を構成している。このような規制部により、Ｃリング３１により、袋ナット２７が雄管部２１から抜け落ちたり、Ｕ字管１１まで移動したりすることが防止される。一方、図２に示すように管継手１０が接続された状態においては、規制部は、袋ナット２７に対する雄管部２１の軸方向の移動可能距離を規制している。
【００１９】
管継手１０を接続する場合、雄管部２１の先端部を挿入開口２２から雌管部２０内に挿入し、袋ナット２７を雌管部２０に対して相対回転させると（すなわち袋ナット２７を締めると）、雄ねじ２４と雄嵌合面２５が螺合して雌管部２０に対して袋ナット２７が軸方向に進出する。袋ナット２７が進出するときには、第２雄管側突出部３０と袋ナット側突出部３２との間にＣリング３１が係止された状態となり、袋ナット２７とともに雄管部２１も軸方向に進出し、雄管部２１が雄嵌合面２５内にさらに挿入される。雌管部２０の先端部２０ａが雄管部２１の第２雄管側突出部３０に突き当たるまで袋ナット２７が締め込まれると、袋ナット２７が雌管部２０に固定され、管継手１０が完全に接続された状態となる。
【００２０】
このように、本実施形態に係る管継手１０によれば、雄管と雌管との接続に抜止クリップを用いる方法に代えて、袋ナット２７を用いているので、すっきりとした意匠性の向上した外観を実現することができる。
【００２１】
図２に示すように袋ナット２７を完全に締め込んだ状態では、雄管部２１の軸方向の移動は、Ｃリング３１により制限される。しかしながら、Ｃリング３１は、袋ナット２７に密着しないので、袋ナット２７に対する雄管部２１の相対的な回転までは制限しない。従って、本実施形態に係る管継手１０においては、袋ナット２７を完全に締め込んで雌管部２０に固定しても、雄管部２１を袋ナット２７に対して回転可能である。
【００２２】
図４は、分岐止水栓１００の本体部１２に対してＵ字管１１が回転する様子を示す。上記のように、本実施形態に係る管継手１０では、雄管部２１が袋ナット２７に対して回転可能であるので、Ｕ字管１１は分岐止水栓１００の本体部１２に対して回転可能である。例えば分岐止水栓１００のＵ字管１１を移動した場合、図４に示すように分岐止水栓１００の本体部１２に対してＵ字管１１が回転する可能性がある。雄管部２１が袋ナット２７に対して固定されている場合、Ｕ字管１１の回転とともに袋ナット２７が緩む虞があるが、本実施形態では雄管部２１が袋ナット２７に対して回転可能であるので、Ｕ字管１１が回転しても袋ナット２７が緩むことは生じ難く、確実に漏水を防止できる。
【００２３】
本実施形態に係る管継手１０では、雌管部２０の雄ねじ２４と袋ナット２７の雌ねじ２８との螺合が少し緩んで雌管部２０に対して雄管部２１が軸方向に移動した状態でも、雌嵌合面２３と雄嵌合面２５との間でＯリング２６が径方向に潰れた状態となり、水密性が確保される。例えば、袋ナット２７の雌ねじ２８と雌管部２０の雄ねじ２４の少なくとも一部が螺合していれば、雌嵌合面２３と雄嵌合面２５との間でＯリング２６が径方向に潰れた状態となる。従って、仮に袋ナット２７が緩んで雄管部２１が軸方向に若干移動したとしても、Ｏリング２６の軸方向位置が若干移動するだけで雄嵌合面２５と雌嵌合面２３との間の水密性は確保されるので、漏水を防ぐことができる。
【００２４】
図５（ａ）〜（ｃ）は、雄管部２１と袋ナット２７を組み付ける手順を説明するための図である。図５（ａ）は、組み付け前の雄管部２１と袋ナット２７を示す。雄管部２１の第１雄管側突出部２９と第２雄管側突出部３０との間には、Ｃリング３１が嵌められている。図５（ｂ）は、袋ナット２７の内部に雄管部２１を挿入した状態を示す。図５（ｂ）に示すように袋ナット２７の内部に雄管部２１を挿入した後、Ｃリング３１が袋ナット側突出部３２を乗り越えるように所定の治具を用いて雄管部２１を押圧する。図５（ｃ）は、雄管部２１と袋ナット２７の組み付けが完了した状態を示す。この状態では、Ｃリング３１の全体が袋ナット側突出部３２を乗り越えている。
【００２５】
図６（ａ）および（ｂ）は、雄管部２１と袋ナット２７を組み付けが正常に行われたか判定する方法を説明するための図である。
【００２６】
図６（ａ）は、雄管部２１と袋ナット２７の組み付けが正常に行われた状態を示す。図６（ａ）では、Ｃリング３１の全体が袋ナット側突出部３２を乗り越えており、これは正常に組み付けが行われた状態を示す。雄管部２１に対する袋ナット２７の軸方向の移動可能距離は、上述の規制部によって決まる。本実施形態では、Ｃリング３１の全体が袋ナット側突出部３２を乗り越えている場合に、袋ナット２７から雄管部２１の先端部が露出可能なように、上述の規制部が構成されている。したがって、袋ナット２７に対して雄管部２１を押圧して袋ナット２７からの雄管部２１の先端部の露出を確認するだけで、雄管部２１と袋ナット２７の組み付けが正常であることを容易に判定できる。
【００２７】
一方、図６（ｂ）は、雄管部２１と袋ナット２７の組み付けが正常に行われていない状態を示す。図６（ｂ）に示す状態では、Ｃリング３１の一部（図６（ｂ）では上側部分）は袋ナット側突出部３２を乗り越えているが、Ｃリング３１の他の一部（図６（ｂ）は下側部分は袋ナット側突出部３２を乗り越えていない。このようにＣリング３１が不完全に装着された製品は、管継手１０の接続不良をもたらす虞がある。本実施形態では、Ｃリング３１の全体が袋ナット側突出部３２を乗り越えていない場合、袋ナット２７から雄管部２１の先端部が露出しないように上述の規制部が構成されている。したがって、袋ナット２７に対して雄管部２１の先端部が露出しないことを確認するだけで、雄管部２１と袋ナット２７の組み付けが正常でないことを容易に判定できる。
【００２８】
上述の実施形態では、分岐止水栓１００における本体部１２とＵ字管１１との接続に管継手１０を用いた場合について説明したが、本実施形態に係る管継手１０はこれ以外にも任意の管の接続に適用可能である。
【００２９】
以上、本発明の実施形態や変形例について詳細に説明した。前述した実施形態や変形例は、いずれも本発明を実施するにあたっての具体例を示したものにすぎない。実施形態や変形例の内容は、本発明の技術的範囲を限定するものではなく、請求の範囲に規定された発明の思想を逸脱しない範囲において、構成要素の変更、追加、削除等の多くの設計変更が可能である。前述の実施形態では、このような設計変更が可能な内容に関して、「実施形態の」「実施形態では」等との表記を付して強調しているが、そのような表記のない内容でも設計変更が許容される。以上の構成要素の任意の組み合わせも、本発明の態様として有効である。図面の断面に付したハッチングは、ハッチングを付した対象の材質を限定するものではない。
【００３０】
以上の実施形態により具体化される発明を一般化すると、以下の技術的思想が導かれる。
【００３１】
本発明のある態様は、雌管部と、雌管部内に挿入される雄管部と、雄管部を覆うように雄管部に設けられる袋ナットと、雌管部の外周面に形成された雄ねじと、袋ナットの内周面に形成された雌ねじとを備える。雄ねじと雌ねじの螺合により、袋ナットが雌管部に固定され、袋ナットが前記雌管部に固定されたときに、袋ナットに対して雄管部が回転可能に構成される。
【００３２】
この態様によると、雄管と雌管との接続に抜止クリップを用いる方法に代えて、袋ナットを用いているので、すっきりとした意匠性の向上した外観を実現することができる。また、袋ナットに対して雄管部を回転可能とすることで、袋ナットが緩みにくくなるので、漏水を防止できる。
【００３３】
雄管部は、外周面に雄嵌合面を有してもよい。雌管部は、内周面に雄嵌合面と嵌合する雌嵌合面を有してもよい。管継手は、雄嵌合面と雌嵌合面との間で径方向に潰れるシール部材をさらに備えてもよい。この場合、雌管部と雄管部とにより形成される流路の水密性が確保される。
【００３４】
シール部材は、雄ねじと雌ねじとの螺合が緩んで雌管部に対して雄管部が軸方向に移動した状態でも、雄嵌合面と雌嵌合面との間で径方向に潰れた状態となってもよい。この場合、袋ナットが若干緩んだ場合であっても流路の水密性を確保でき、漏水を防ぐことができる。
【００３５】
袋ナットは、雄管部に対して軸方向に移動可能であり、雄管部に対する袋ナットの軸方向の移動可能距離を規制する規制部をさらに備えてもよい。この場合、雄管部からの袋ナットの抜け落ち等を防止できる。
【００３６】
規制部は、雄管部と袋ナットとが正常に組み付けられている場合には、袋ナットから雄管部の先端部が露出可能に構成され、雄管部と袋ナットとが正常に組み付けられていない場合には、袋ナットから雄管部の先端部が露出しないよう構成されてもよい。この場合、雄管部と袋ナットの組み付け状態を容易に判定できる。
【００３７】
本発明の別の態様は、上述の管継手を備える分岐止水栓である。この分岐止水栓は、雄管部を備えるＵ字管と、雌管部を備える本体部とを備える。袋ナットが雌管部に固定されたときに、本体部に対してＵ字管が回転可能である。この場合、意匠性の向上した分岐止水栓を実現できる。また、本体部に対してＵ字管が回転可能であるので、Ｕ字管が回転しても袋ナットが緩むことは生じ難く、確実に漏水を防止できる。
【符号の説明】
【００３８】
１０  管継手、  １１  Ｕ字管、  １２  本体部、  ２０  雌管部、  ２１  雄管部、  ２２  挿入開口、  ２３  雌嵌合面、  ２４  雄ねじ、  ２５  雄嵌合面、  ２６  Ｏリング、  ２７  袋ナット、  ２８  雌ねじ、  ２９  第１雄管側突出部、  ３０  第２雄管側突出部、  ３１  Ｃリング、  ３２  袋ナット側突出部、  １００  分岐止水栓、  ２００  水栓装置。
【図１】
2019210963.tif 000003
【図２】
2019210963.tif 000004
【図３】
2019210963.tif 000005
【図４】
2019210963.tif 000006
【図５】
2019210963.tif 000007
【図６】
2019210963.tif 000008